(57)【要約】【課題】それを設置することによっても、遊技台と遊技台との間隔を広くする必要が無く、しかも、遊技中にその表示が見やすいディスプレイを備えた遊技台周辺装置を提供することである。【解決手段】電気的接点６を備えた接続部材５を、遊技台１あるいは遊技媒体払い出し装置２に直接設けるとともに、上記接続部材に着脱自在な電気的接点を備えた接続部材を、ディスプレイ４に直接設け、上記両接続部材を介して上記遊技台あるいは遊技媒体払い出し装置とディスプレイとを接続する一方、ディスプレイは、遊技台または払い出し装置の出力信号に応じた画像を表示する構成にする。【選択図】図１
2004275717.tif 000002
【特許請求の範囲】
【請求項１】
電気的接点を備えた一方の接続部材を、遊技台あるいは遊技媒体払い出し装置に直接設けるとともに、上記一方の接続部材に着脱自在な電気的接点を備えた他方の接続部材をディスプレイに直接設け、上記両接続部材を介して上記遊技台あるいは遊技媒体払い出し装置とディスプレイとを接続する一方、ディスプレイは、遊技台または払い出し装置の出力信号に応じた画像を表示する遊技台周辺装置。
【請求項２】
ディスプレイと、遊技台と遊技台との間に設ける払い出し装置とを設け、この払い出し装置の幅と遊技台の高さとの間に形成されるエリア内に、上記ディスプレイを払い出し装置に取り付けるための取り付け部を位置させた遊技台周辺装置。
【請求項３】
ディスプレイを、取り付け対象に対して回転自在に取り付けた請求項１または２に記載の遊技台周辺装置。
【請求項４】
遊技媒体払い出し装置は、第１の筐体と第２の筐体とを上下に積み重ねてなり、第１の筐体には、払い出し制御部と、この払い出し制御部を制御する処理部とを備え、第２の筐体には上記第１の筐体の処理部にデータを入力する入力手段と、ディスプレイとを備え、これら両筐体は、それらを分離可能にするとともに、第１の筐体に設けた処理部は、上記ディスプレイとは別の種類のディスプレイに接続可能にした請求項２または３に記載の遊技台周辺装置。
【請求項５】
遊技台に対応したディスプレイに接続部材を設け、この接続部材を呼び出しランプまたは呼び出しランプを固定したランプ板に取り付けてなり、上記接続部材は、上記ディスプレイを遊技台より上方に移動可能な構成にした遊技台周辺装置。
【請求項６】
ディスプレイに設けた一方の接続部材に電気的接点を備えるとともに、呼び出しランプまたは呼び出しランプを固定したランプ板には、上記電気的接点に対応する電気的接点を備えた他方の接続部材を設け、上記両接続部材を電気的に接続する請求項５に記載の遊技台周辺装置。
【発明の詳細な説明】
【技術分野】
【０００１】
この発明は、遊技場において、遊技台に、遊技に関する情報やその他の情報を表示するためのディスプレイを備えた遊技台周辺装置に関する。
【背景技術】
【０００２】
パチンコ店などの遊技場において、遊技中のユーザーに対して、店舗からのお知らせや、遊技中の遊技台情報、あるいは、テレビ放送などを表示するためのディスプレイを備えることがある。このディスプレイは、来店した複数のユーザーが同時に見るものと違って、ユーザー毎に１台ずつ備えるものである。
【０００３】
上記のようにディスプレイをユーザー毎に備えるために、例えば特開平９−３２７５７１号公報に記載された装置が従来から知られている。この従来の装置は、遊技台と遊技台との間に形成される狭隘部にディスプレイの支持体を設け、この支持体にディスプレイを設けて、遊技体毎にディスプレイを対応させるようにしている。このように、遊技台と遊技台との間に設けた支持体にディスプレイを設けることによって、当該ディスプレイをユーザーの目線に近いところに設置できることになる。
【０００４】
なお、近年は、遊技台と遊技体との間に遊技媒体の払い出し装置を設置することがあるが、この払い出し装置とともに、上記ディスプレイも設けようとすると、それらを並列に設置することになる。言い換えると、遊技台と遊技台との間に、遊技媒体の払い出し装置と、ディスプレイの支持体との両方を挟むようにして設置することになる。
【０００５】
また、別の従来例として登録実用新案第３０２４８７８号公報に記載された装置もある。この別の従来例は、遊技台と遊技台との間にディスプレイの支持体を設置するのではなく、遊技台の上部に設けた呼び出しランプと一体化してディスプレイを設けている。
すなわち、遊技台の上部には、通常、ランプ板が設けてあり、このランプ板には呼び出しランプを設けているが、この呼び出しランプは、遊技台１台１台に対応させている。そして、この呼び出しランプにディスプレイを直接設けるようにしている。
【特許文献１】特開平９−３２７５７１号公報
【特許文献２】登録実用新案第３０２４８７８号公報
【発明の開示】
【発明が解決しようとする課題】
【０００６】
上記のように遊技台と遊技台との間にディスプレイの支持体を設けるタイプでは、それぞれの遊技台に対応させて遊技媒体の払い出し装置を設けようとしたとき、各遊技台の間には、ディスプレイの支持体と遊技媒体の払い出し装置とを設けなければならない。そのために、遊技台と遊技台との設置間隔が自ずと広くなってしまい、その分、決められたスペースに設置できる遊技台の台数が少なくなってしまうという問題があった。
【０００７】
一方で、遊技台上部に設けた呼び出しランプにディスプレイを一体的に設けた場合には、遊技台の間隔を広くする必要はなくなるが、ディスプレイが遊技台よりも上にあるため、ディスプレイはユーザーの目線から大きく離れたところに位置することになる。そのために、ディスプレイを見るために遊技者は、遊技中の顔の位置を大きく変えなければならない。具体的には遊技台の上方を見上げるようにしなければ、ディスプレイを見ることができない。ところが、ほとんどのユーザーは、当該ディスプレイを遊技中に見るので、ユーザーは遊技台から一端目を離さなければ、当該ディスプレイを見ることができないといった問題もあった。
【０００８】
この発明の目的は、遊技台と遊技台との間に遊技媒体の払い出し装置を設けても、遊技台の設置間隔が必要以上に広くならず、しかも、遊技中にも見やすいディスプレイを備えた遊技台周辺装置を提供することである。
【課題を解決するための手段】
【０００９】
第１の発明は、電気的接点を備えた一方の接続部材を、遊技台あるいは遊技媒体払い出し装置に直接設けるとともに、上記一方の接続部材に着脱自在な電気的接点を備えた他方の接続部材をディスプレイに直接設け、上記両接続部材を介して上記遊技台あるいは遊技媒体払い出し装置とディスプレイとを接続する一方、ディスプレイは、遊技台または払い出し装置の出力信号に応じた画像を表示する点に特徴を有する。
なお、上記接続部材を直接設けるとは、遊技台や払い出し装置と接続部材との間、また、ディスプレイと接続部材との間が、機械的に直接接続している状態である。むき出しになった配線を介して両者を接続している状態ではない。
【００１０】
第２の発明は、ディスプレイと、遊技台と遊技台との間に設ける払い出し装置とを設け、この払い出し装置の幅と遊技台の高さとの間に形成されるエリア内に、上記ディスプレイを取り付けるための取り付け部を位置させた点に特徴を有する。
第３の発明は、上記第１または第２の発明を前提とし、ディスプレイを、取り付け対象に対して回転自在に取り付けた点に特徴を有する。
【００１１】
第４の発明は、第２、第３の発明を前提とし、遊技媒体払い出し装置は、第１の筐体と第２の筐体とを上下に積み重ねてなり、第１の筐体には、払い出し制御部と、この払い出し制御部を制御する処理部とを備え、第２の筐体には上記第１の筐体の処理部にデータを入力する入力手段と、ディスプレイとを備え、これら両筐体は、それらを分離可能にするとともに、第１の筐体に設けた処理部は、種類を異にしたディスプレイに接続可能にした点に特徴を有する。
【００１２】
第５の発明は、遊技台に対応したディスプレイに接続部材を設け、この接続部材を呼び出しランプまたは呼び出しランプを固定したランプ板に取り付けてなり、上記接続部材は、上記ディスプレイを遊技台より上方に移動可能な構成にした点に特徴を有する。
【００１３】
第６の発明は、上記第５の発明を前提とし、ディスプレイに設けた一方の接続部材に電気的接点を備えるとともに、呼び出しランプまたは呼び出しランプを固定したランプ板には、上記電気的接点に対応する電気的接点を備えた他方の接続部材を設け、上記両接続部材を電気的に接続している。
【発明の効果】
【００１４】
第１〜第６の発明によれば、ディスプレイを、遊技中に遊技者が見やすい位置に設けることができる。
また、ディスプレイを備えた専用の装置を払い出し装置の隣に設ける場合と比べて、遊技台と遊技台との間隔を狭くできる。従って、同一スペースにおける遊技台の設置台数を減らさずに、ディスプレイを設けることができる。
【００１５】
第１の発明では、さらに、ディスプレイを、取り付け対象に取り付けたり、取り外したり、間単にできるため、取り付け対象と、ディスプレイとを別々に保管したり、搬送したりできる。例えば、ディスプレイを取り付けたままだと、保管スペースをとってしまう場合でも、取り外せばそのようなことがない。
【００１６】
第２の発明によれば、ディスプレイの取り付け位置が、遊技台に隣接した払い出し装置の幅であって、遊技台の高さを超えないので、ディスプレイが見やすい。呼び出しランプの位置まで、見上げる必要が無いので、遊技中でも様々な情報を見ることができる。
【００１７】
第３の発明によれば、ディスプレイの位置を変えることができる。例えば、遊技者が、自分の見やすい角度に調整したり、他の装置の入れ替え時にじゃまにならない角度に移動したりできる。
【００１８】
第４の発明によれば、共通の第１の筐体を用いて、異なる種類のディスプレイを備えた第２の筐体を接続することができる。設置者の要望に合わせたディスプレイの種類を選択して設置する際に、第２の筐体だけを入れ替えれば良いので、経済的である。
【００１９】
また、第５、第６の発明では、ディスプレイを遊技台の上方に移動させることができるようにしているので、遊技台のガラス扉を開ける際や、遊技台の入れ替えの際には、ディスプレイを遊技台の上方へ移動させて、ディスプレイが扉のじゃまにならないようにできる。
【発明を実施するための最良の形態】
【００２０】
遊技台と遊技台との間隔を広くしないで、遊技場に見やすいディスプレイを備えた遊技台周辺装置を設置できるようにした。
【実施例１】
【００２１】
図１、図２に示す第１実施例は、遊技台１に隣接する払い出し装置２に、ディスプレイ４を設けている。払い出し装置２はプリペイドカードを挿入するカード挿入口３を備えていて、内部には、図示しないカード情報読み取り手段を備えている。ユーザーは、プリペイドカードの残金の範囲内で、玉の払い出しを要求できるようにしている。このプリペイドカードの残金は、ディスプレイ４に表示される。
ただし、払い出し装置２は、会員カードを入れてユーザーを特定し、自分の貯玉を引き落とせるようにしたものでもよいし、図示していない現金投入口から現金を直接入れて、玉を払い出させるようにしたものでもよい。なお、会員カードを使用できるようにするためには、上記プリペイドカードを挿入する挿入口３を会員カード挿入口として利用してもよいし、会員カード挿入口を上記挿入口３とは別に設けてもよい。
【００２２】
なお、以下の実施例では、遊技台をパチンコ台とし、遊技媒体をパチンコ玉として説明する。
上記ディスプレイ４はタッチパネルを構成し、ユーザーが玉の払い出しを要求する際には、上記プリペイドカードの残金の範囲内で、このタッチパネルを利用してパチンコ玉の払い出し数量を指定できるようにしている。このように、ディスプレイ４は、情報の表示手段と払い出し装置２のデータ入力手段を兼ねているが、この発明のディスプレイは、入力手段を備えていることが必須の要素ではない。
【００２３】
また、上記ディスプレイ４は、図２に示すように、その背面に上記払い出し装置２と連結するための接続部材５を備えている。この接続部材５には電気的接点６を備えている。なお、上記接続部材５とディスプレイ４とは電気的に接続されていることはもちろんであるが、それら両者は機械的に直接連結されている。このようにディスプレイ４の背面に直接設けた接続部材５が、この発明の他方の接続部材を構成するもので、この接続部材５の表面には電気的な接点６を設けている。
【００２４】
一方、払い出し装置２の前面には挿入穴７を形成しているが、この挿入穴７は上記接続部材５を挿入するためのものである。また、払い出し装置２には、挿入穴７に連続する図示していない接続部材を設けているが、この接続部材は、この発明における一方の接続部材を構成する。
そして、上記一方の接続部材は、他方の接続部材５がぴったりはまり合うとともに、はめあわせた他方の接続部材５を、上記一方の接続部材から抜くこともできる寸法関係を維持している。従って、一方の接続部材に他方の接続部材５を挿入したとき、ディスプレイ４が、払い出し装置２に対して、ほとんどがたつくことなく固定される。
【００２５】
また、上記一方の接続部材の内部には、電気的接点を設けているが、この電気的接点は、他方の接続部材５を一方の接続部材にぴったりはめあわせたとき、その他方の接続部材５の電気的接点６と接続する構成にしている。従って、他方の接続部材５を一方の接続部材に挿入することによって、上記ディスプレイ４と払い出し装置２とが、機械的にも、電気的にも接続されることになる。
【００２６】
この第１実施例においては、上記ディスプレイ４と払い出し装置２とが相まってこの発明の遊技台周辺装置を構成するが、この装置では、ディスプレイ４の取り付け位置すなわち一方の接続部材に連続する挿入穴７を払い出し装置２の前面に設けているので、ディスプレイ４は必然的に払い出し装置２の前面に設置されることなになる。このように払い出し装置２の前面にディスプレイ４を設置できるので、このディスプレイ４を設置するための特別な支持体などを設ける必要がない。特別な支持体を設けなくてもよいので、上記実施例のように、遊技台と遊技台との間に払い出し装置を設けたとしても、その払い出し装置以上の設置間隔を必要としない。従って、払い出し装置２を設けながら、同じスペースに設置できる遊技台の台数を多くすることができる。
【００２７】
しかも、ディスプレイ４を直接接続する払い出し装置２は、遊技台１と隣り合った状態で設置されているので、ディスプレイ４を払い出し装置２に取り付けたときに、当該ディスプレイは、遊技中のユーザーが見やすいところに位置することになる。従って、従来のように呼び出しランプ位置にディスプレイを設けた場合と比べて、遊技中でもディスプレイが見やすくなる。
【実施例２】
【００２８】
図３は、第２実施例の払い出し装置２と遊技台１とを上側から見た図である。この第２実施例では、払い出し装置２内に接続部材８を設けているが、この接続部材８は、この発明の一方の接続部材を構成するものである。そして、この一方の接続部材８は、第１実施例と同様に、払い出し装置２の前面に設けた挿入穴７に連続させている。また、この一方の接続部材８は、他方の接続部材５がぴったりはまり合うとともに、はめあわせた他方の接続部材５を、上記一方の接続部材８から抜くこともできる寸法関係を維持している。従って、一方の接続部材８に他方の接続部材５を挿入したとき、ディスプレイ４が、払い出し装置２に対して、ほとんどがたつくことなく固定される。
【００２９】
さらに、上記一方の接続部材８の内部には、電気的接点を設けているが、この電気的接点は、他方の接続部材５を一方の接続部材８にぴったりはめあわせたとき、その他方の接続部材５の電気的接点６と接続する構成にしている。従って、他方の接続部材５を一方の接続部材８に挿入することによって、上記ディスプレイ４と払い出し装置２とが、機械的にも、電気的にも接続されることになる。
【００３０】
そして、この発明の一方の接続部材８が、第１実施例の一方の接続部材と大きく異なる点は、この一方の接続部材８に他方の接続部材５をはめ合わせたとき、ディスプレイ４が図示のように遊技中のユーザー側に向かって斜めに設置されることである。具体的には、一方の接続部材８には他方の接続部材５を挿入する導入孔８ａを形成しているが、この導入孔８ａを払い出し装置２の前面に対して斜めにセットしている。そして、この導入孔８ａに他方の接続部材５をはめ合わせたとき、上記したようにディスプレイ４が遊技中のユーザー側に向かって斜めになるようにしている。
【００３１】
そして、ディスプレイ４を直接接続する払い出し装置２は、遊技台１と隣り合った状態で設置されているので、ディスプレイ４を払い出し装置２に取り付けたときに、当該ディスプレイは、遊技中のユーザーが見やすいところに位置することになるとともに、遊技中のユーザー側に向かって斜めになるので、第１実施例以上に、ユーザーはディスプレイを見やすくなる。
なお、この第２実施例においても、ディスプレイ４および払い出し装置２が相まって、この発明の遊技台周辺装置を構成するものである。
【００３２】
なお、この第１、第２実施例は、ディスプレイ４を払い出し装置２に着脱可能にしているので、例えば、遊技台１のガラス扉を開けたり、遊技台１を入れ替えたりする際に、取り付けたディスプレイ４がじゃまになったとしても、そのときには、ディスプレイ４を払い出し装置２から取り外せばよい。従って、ディスプレイ４を大きくしたとしても、遊技台１のガラス扉を開けたり、遊技台を入れ替えたりするときに、当該ディスプレイがじゃまになったりしない。ディスプレイ４を大きくしても、上記のように他の作業に支障を来すことがないので、当該ディスプレイを極力大きくすることができる。このようにディスプレイを大きくすればするほど、遊技者にとってより見やすいものになる。
ただし、上記ディスプレイ４は、着脱可能にしなくても、その取り付け位置が、払い出し装置２の幅の範囲内に収まっていれば、その限りにおいて当該ディスプレイを最大限大きくすることができる。
【実施例３】
【００３３】
図４に示す第３実施例でも、払い出し装置２内に一方の接続部材を設けているが、この一方の接続部材は、第１実施例と同様に、払い出し装置２の前面に設けた挿入穴７に連続させている。また、この一方の接続部材は、第１実施例と同様の他方の接続部材９がぴったりはまり合うとともに、はめあわせた他方の接続部材９を、上記一方の接続部材から抜くこともできる寸法関係を維持している。従って、一方の接続部材に他方の接続部材９を挿入したとき、ディスプレイ４が、払い出し装置２に対して、ほとんどがたつくことなく固定される。
【００３４】
さらに、上記一方の接続部材の内部には、電気的接点を設けているが、この電気的接点は、他方の接続部材９を一方の接続部材にぴったりはめあわせたとき、その他方の接続部材９の電気的接点６と接続する構成にしている。従って、他方の接続部材９を一方の接続部材に挿入することによって、上記ディスプレイ４と払い出し装置２とが、機械的にも、電気的にも接続されることになる。
【００３５】
また、上記他方の接続部材９が、一方の接続部材にぴったりはめ込まれた状態において、ディスプレイ４が他方の接続部材９に対して、回転軸１０を中心に回転可能な構成にしているが、この回転軸１０は、ディスプレイ４の取り付け状態で鉛直方向に設けている。
【００３６】
上記他方の接続部材９を払い出し装置２側の一方の接続部材にぴったりとはめ込んだ状態において、ディスプレイ４が払い出し装置２の前面との間で間隔を保ち、その回転に支障がないようにしている。このように、第３実施例では、設置後のディスプレイ４が回転できるようにしているので、設置後に、ディスプレイ４を遊技者が見やすい角度に自由にセッティングできる。また、遊技台のガラス扉を開けたり、遊技台１を入れ替えたりする時などでも、ディスプレイ４を取り外したり、払い出し装置２を移動させたりせず、ディスプレイ４だけを、回転させてじゃまにならない位置へ動かすこともできる。
【００３７】
なお、この第３実施例は、他方の接続部材９と、払い出し装置側の一方の接続部材とを着脱可能にしているが、ディスプレイ４の接続部材９を、払い出し装置２に固定的に取り付ける構成としてもかまわない。
また、ディスプレイ４の回転軸１０の方向は鉛直方向に限らないし、直交する２方向の回転軸を備えれば、ディスプレイ４をあらゆる方向に回転させることもできる。
【実施例４】
【００３８】
図５に示す第４実施例は、払い出し装置１１の上に、ディスプレイ４のケース１２を積み重ねたものである。つまり、ディスプレイ４のケース１２を、払い出し装置１１の幅と遊技台の高さとの間に形成されるエリア内に設けたものである。従って、ケース１２を払い出し装置１１に重ね合わせた重ね合わせ部が、この発明の取り付け部に相当する。
そして、上記払い出し措置１１は、玉貸し金額や、貯玉の引き落とし数量を入力するためのテンキー１３とそれらの数字を表示する数字表示窓１４とを備えている。一方、ディスプレイ４には、隣接する遊技台１の台情報や遊技場からのお知らせ、テレビ放送などを表示するようにしている。
【００３９】
上記ディスプレイ４は、ケース１２に、どのような方法で取り付けられていてもよい。例えば、上記第１〜第３実施例のような接続部材を介して着脱自在に設けることもできるし、固定的に設けることもできる。どのような方法で取り付けられたとしても、上記ディスプレイ４のケース１２を払い出し装置１１に重ね合わせた箇所が、この発明の払い出し装置の幅と、遊技台の高さとの間に形成されるエリア内に存在すればよい。
この第４実施例では、上記払い出し装置１１とディスプレイ４とによって、発明の遊技台周辺装置を構成している。
【実施例５】
【００４０】
図６〜図８に示す第５実施例は、第１の筐体１５と、第２の筐体１６または１７とを設け、第１の筐体１５は、前面にカード挿入口３を備えるとともに、内部には、図７，図８に示すように、処理部１８と、払い出し制御部１９とを備えている。第１の筐体１５に設けた処理部１８は、カード挿入口３に挿入されたカードのデータを読み取ったり、第２の筐体１６に設けたタッチパネル機能を備えたディスプレイ４または別の第２の筐体１７に設けたテンキー１３や数字表示窓１４との間で、データのやりとりを行ったりする機能を備えている。また、第１の筐体１５に設けた払い出し制御部１９は、隣接する遊技台１に実際に玉を払い出すための払い出し手段を制御する機能を備えているが、払い出し制御手段１９それ自身は上記処理部１８で制御される。
【００４１】
なお、第５実施例において、この発明における別の種類のディスプレイとは、ディスプレイ４と数字表示窓１４とを指している。
そして、この遊技台周辺装置を玉の払い出し装置として使用する際には、上記ディスプレイ４をタッチパネルとして、遊技者が要求払い出し数量を第１の筐体の処理部１８へ入力することができる。
【００４２】
上記第２の筐体１６においては、ディスプレイ４が、この発明の入力手段を兼ねている。ただし、この入力手段から入力するデータは、遊技媒体の払い出し要求に限らず、例えば、ディスプレイ４に表示させるデータを選択するための信号などが含まれる。
また、上記ディスプレイ４には、遊技媒体の払い出しに関するデータの他、遊技台情報や、遊技場からのお知らせ、ウエブページや、テレビ放送などを表示することができる。これらの表示は、第１の筐体の処理部１８が制御する。
【００４３】
さらに、もう一方の第２の筐体１７には、入力手段としてのテンキー１３と、ディスプレイとしての数字表示窓１４を備えている。
上記テンキー１３から、遊技媒体の要求払い出し数量を入力することができ、別の種類のディスプレイである数字表示窓１４には、遊技者が入力した数量や、プリペイドカードの残金などを表示することができる。
【００４４】
この第５実施例においても、ディスプレイ４や別の種類のディスプレイである数字表示窓１４を払い出し装置の隣に設置しないので、遊技台間を広くする必要が無いし、ディスプレイ４を、遊技中の遊技者にとって見やすい位置に設けることができる。
また、第１の筐体１５に設けた処理部１８は、上記のように、第２の筐体１６と１７とに設けた異なる種類のディスプレイに対応することができる。例えば、遊技台情報や、ウエブページなどの表示を必要としない時には、第１の筐体１５の処理部１８を第２の筐体１７のテンキー１３や数字表示窓１４に接続し、遊技者に対して様々な情報を提供しようとする場合には、もう一方の第２の筐体１６に設けたディスプレイ４に接続することができる。
【００４５】
従って、払い出し装置に設けた処理部１８は、ディスプレイ４と数字表示窓１４のように表示形態を異にしたディスプレイに対応できるので、当該払い出し装置に取り付けたディスプレイを、別の種類のディスプレイに変更する際に、全てを交換しなくても、第２の筐体だけを交換するだけで足り、それだけ経済性が高まる。
なお、第１の筐体１５と第２の筐体１６または１７との接続方法は、どのような方法でもかまわないが、着脱が容易な構造が好ましい。
【実施例６】
【００４６】
図９〜図１１に示す第６実施例は、遊技台１に表示用のディスプレイ４を取り付けた装置である。遊技台１の隣には、遊技媒体の払い出し装置２が設置されているが、この払い出し装置２は、どのような構成でもかまわない。
図１０は、ディスプレイ４を上から見た図であるが、ディスプレイ４の側面には、接続部材２０を、回転軸２１を中心にして回転自在に設けている。そして、接続部材２０の先端には、電気的接点６を設けている。この電気的接点６は、ディスプレイ４の内部回路と電気的に接続している。なお、上記接続部材２０がこの発明の他方の接続部材を構成する。
【００４７】
また、遊技台１には、図２に示した第１実施例と同様に、上記接続部材２０を挿入する挿入穴７を設けるとともに、遊技台１の内部には、挿入穴７に連続する接続部材（図示していない）を設けている。なお、この接続部材がこの発明の一方の接続部材を構成する。そして、この一方の接続部材は、上記他方の接続部材２０に対応するもので、これら両接続部材の対応関係は、第３実施例の場合と全く同じである。従って、両接続部材を接続すると、これらを介して、ディスプレイ４内の電気回路は、遊技台１内に設けた図示していない電気的接点に接続される。
【００４８】
図１１は、ディスプレイ４を取り付けた状態を、遊技台１の上から見た図である。遊技台１に取り付けたディスプレイ４は、上記回転軸２１を中心にして、矢印方向に回転可能である。従って、遊技者が、ディスプレイ４を自分の見やすい角度に動かすことができる。また、隣接された払い出し装置２を入れ替える際には、その移動経路から退避させることもできる。
さらに、他方の接続部材２０と、遊技台１側の一方の接続部材とは、第３実施例と同じ構造なので、それらの着脱が容易にできる。従って、遊技台１とディスプレイとを別々に保管したり、搬送したりすることがき、修理や交換も簡単になる。
【００４９】
ただし、ディスプレイ４の取り付け方法は、どのようなものでもかまわない。ディスプレイ４を取り付けるための取り付け部を、遊技台１に設けることによって、ディスプレイのために遊技台の間隔を広くする必要が無くなるとともに、遊技中の遊技者に取って見やすい位置にディスプレイを備えるという発明の目的は達成できる。
なお、この第６実施例のディスプレイ４を遊技台１に取り付ける際に、図２〜図４に示す他の実施例の取り付け方法を用いてもかまわないし、図１０示す接続部材２０を備えたディスプレイを、上記第１〜第５実施例で用いることもできる。
さらに、上端をランプ板または呼出ランプに固定し、遊技台をさけて下方に伸びるレールを設け、このレールにディスプレイを摺動自在に取り付けてもよい。
【００５０】
また、上記挿入穴には、それを閉鎖する扉などを設け、接続部材同士をはめ合わせないときには、内部の接続部材の電気的接点などに異物がつかないようにすることが好ましい。
さらに、上記接続部材を用いて取り付け対象に取り付けたディスプレイを、接続部材によって支持するようにしてもかまわないが、接続部材とは別の支持部材を設けることもできる。例えば、遊技台１や払い出し装置２等の取り付け対象側に、ディスプレイ４の周囲を支持する部材を設けたり、ディスプレイ４側に、取り付け対象に、固定するための支持部材を設けたりすればよい。
【実施例７】
【００５１】
図１２、図１３は第７実施例を示すもので、この第７実施例の最大の特徴は、ディスプレイ４の接続部材２２を、ランプ板２３に取り付けた点である。すなわち、通常の遊技場では、図１３に示すように、基台２５の上方にランプ板２３を設け、この基台２５とランプ板２３との間に、遊技台１および払い出し装置２とを並列にして設置するものであるが、この第７実施例では、上記ランプ板２３にディスプレイ４の接続部材２２を取り付けている。なお、このランプ板２３は、各遊技台１に対応させた呼び出しランプ２４を固定するためのものであり、その上に設けた幕板２６と相まって、各遊技台１へ遊技媒体を供給する通路や、配線などを覆う役目も果たしている。
【００５２】
上記のようにしたランプ板２３に取り付ける接続部材２２は、図１２に示すように、ランプ板２３に直接取り付ける固定部２２ａに、軸部２２ｂを介して回動可能に連結した回動部２２ｂとを備えている。そして、ディスプレイ４は、上記回動部２２ｂの先端、すなわち軸部２２ｂとは反対端に固定している。従って、ディスプレイ４は、図１２および図１３に示すように、軸部２２ｃを中心に矢印ａ方向に回動して、図１２に示す二点鎖線で示す位置まで移動することができる。つまり、この第７実施例におけるディスプレイ４は、ガラス板に対して矢印ａ方向に平行に移動できるが、回動部２２ｂとディスプレイ４との連結部分を回動自在にしておけば、ディスプレイ４の向きも変更できることになる。
【００５３】
なお、上記軸部２２ｂは、ねじ構造になっていて、それを締め付けることによって、固定部２２ａに対する回動部２２ｂの回動を規制することができるようにしている。すなわち、ねじ構造の部分を堅く締め付ければしめつけるほど、回動部２２ｂの回動が規制される構造になっている。従って、ディスプレイ４を所定の位置に止めておきたければ、それを目的の位置にセットした後、ねじ構造部分を堅く締め付ければよい。また、ねじ構造部分にスプリングを介在させ、ねじ構造を締め付けてスプリングのばね力を調整しながら、でディスプレイ４を目的の位置に止まるようにしてもよい。このようにしておけば、人がディスプレイ４を強制的に回動して目的の位置で手を放しても、ディスプレイ４が当該位置に止まることになる。
【００５４】
上記のようにした接続部材２２の固定部２２ａには、図示していない電気的接点を設けるとともに、ランプ板２３側の取り付け部分にも電気的接点を設けている。従って、固定部２２ａをランプ板２３の所定の位置に取り付けることによって、ディスプレイ４は電気的に接続されることになる。ただし、固定部２２ａおよびランプ板２３の取り付け部分に電気的接点を設けることは、この発明の必須の構成要素ではない。例えば、固定部２２ａに接続コード等を設け、このコードを目的の機器あるいは電源に接続するようにしてもよい。このように、固定部２２ａをコード等を介して接続する場合には、ランプ板２３に上記したように呼び出しランプ２４を設けているので、この呼び出しランプ２４の電源を利用することもできる。
【００５５】
今、接続部材２２の固定部２２ａを、図１３に示すように、ランプ板２３上であって個々の遊技台１に対応する位置に固定する。このように固定部２２ａをランプ板２３に取り付けることによって、ディスプレイ４は遊技台１のガラス扉に対して平行を維持しながら矢印ａ方向に回動させることができる。ただし、ディスプレイ４を上方に回動させるときには、少なくとも、ディスプレイ４が遊技台１のガラス扉の範囲からはずれる位置まで回動可能にする必要がある。もし、ディスプレイ４が上記ガラス扉の範囲内にあれば、ディスプレイ４がじゃまになってガラス扉が開かなくなるからである。
【００５６】
上記のようにディスプレイ４を矢印ａ方向に回動できるので、ユーザーがディスプレイを見たいと思えば、当該ディスプレイを自らの目線の位置にセットできるし、ディスプレイ４が不要なときには、それをガラス扉の範囲から外れる上方位置まで退避させることができる。さらに、ディスプレイと遊技との両方を楽しみたいというときには、ディスプレイ４を遊技に支障を来さない位置に自由にセットすることができる。
【００５７】
また、遊技台１に玉詰まりなどが発生してガラス扉をあける必要が生じた場合には、ディスプレイ４をガラス扉の範囲から外れる上方位置まで退避させればよい。ディスプレイ４を、遊技台１の上方に移動させることによって退避させるため、隣の遊技台１側に移動させるのとは違って、隣の遊技台１のじゃまにもならない。例えば、ガラス扉を開けての作業をする際に、ディスプレイ４を隣の遊技台１側へ退避させるようにした場合には、退避したディスプレイ４が、隣の遊技台１での遊技中の遊技者にとってじゃまになることがあるが、この実施例の場合にはそのような心配はない。
【実施例８】
【００５８】
図１４〜図１６に示す第８実施例は、ディスプレイ４に設けた接続部材２７が、固定部２７ａ、回動部２７ｂ、軸部２７ｃとからなり、固定部２７ａの取り付け方向が、第７実施例の固定部２２ａとは異なるもので、その他は、第７実施例と同じである。
この固定部２２ａを遊技台１の上方のランプ板２３に取り付けた状態の正面図を図１５に、側面図を図１６に示している。
【００５９】
図１５のように、回動部２７ｂを下方に下げれば、ディスプレイ４は、遊技中のユーザーにとって見やすい位置になる。そして、ガラス扉を開ける際には、図１６に示す矢印ｂ方向に、回動部２７ｂを軸部２７ｃ周りに回動することによって、実線で示す位置にあるディスプレイ４を、二点鎖線で示す位置すなわちガラス扉の範囲から外れる上方位置まで退避させることができる。これにより、遊技台１のガラス扉を開ける際に、ディスプレイ４がじゃまになることがない。
【００６０】
第７、第８実施例のように、ディスプレイ４を遊技台１の上方に移動可能な構成にすれば、遊技台１のガラス扉を開いて作業する際に、ディスプレイ４がじゃまになることがないので、ガラス扉を必要なだけ開けることができる。また、ディスプレイ４は、対応する遊技台１の上方に移動するため、隣の遊技台１や払い出し装置２に掛かって、操作のじゃまになることもない。さらに、上記回動部２２ｂ、２８ｂとディスプレイ４との連結部分において、ディスプレイ４を回動自在取り付ければ、ディスプレイ４を遊技台１側に下げた状態で、ユーザーが見やすい角度に調整することができる。
【００６１】
なお、ディスプレイ４を遊技台１の上方へ移動可能にする構成として、上記第７，第８実施例では、回動部２２ｂ、２７ｂを備えた接続部材を用いているが、これらの、実施例の構成に限らない。例えば、上記回動部２２ｂ、２７ｂの代わりに、固定部２２ａ，２７ａとディスプレイ４との間に、折曲位置を保てる程度にフレキシブルな接続部材を用いてもよい。この場合には、フレキシブルな部材を自由に折曲してディスプレイ４の位置を調整することができる。また、上記接続部材は、折曲可能ということだけでなく、ねじれも可能にしておけば、ディスプレイ４を見る場合にも、ユーザーが、より見やすい角度に調整することができる。
【図面の簡単な説明】
【００６２】
【図１】第１実施例の遊技台周辺装置の正面図である。
【図２】第１実施例のディスプレイの取り付け方法を示した図である。
【図３】第２実施例のディスプレイの取り付け状態を示した図である。
【図４】第３実施例のディスプレイを上から見た図である。
【図５】第４実施例の装置の設置状態を示した図である。
【図６】第５実施例の装置の設置状態を示した図である。
【図７】第５実施例の装置のブロック図である。
【図８】第５実施例の装置のブロック図である。
【図９】第６実施例の装置の設置状態を示す図である。
【図１０】第６実施例のディスプレイを上から見た図である。
【図１１】第６実施例のディスプレイを取り付けた状態を上から見た図である。
【図１２】第７実施例のディスプレイと接続部材の正面図である。
【図１３】第７実施例のディスプレイの取り付け状態を示した図である。
【図１４】第８実施例のディスプレイと接続部材の斜視図である。
【図１５】第８実施例のディスプレイの取り付け状態を示した正面図である。
【図１６】第８実施例のディスプレイの取り付け状態を示した側面図である。
【符号の説明】
【００６３】
１      遊技台
２      払い出し装置
４      ディスプレイ
５      接続部材
６      電気的接点
８      接続部材
９      接続部材
１１    払い出し装置
１４    発明のディスプレイにあたる数字表示窓
１５    第１の筐体
１６    第２の筐体
１７    第２の筐体
１８    処理部
１９    払い出し制御部
２０    接続部材
２２    接続部材
２３    ランプ板
２４    呼び出しランプ
２７    接続部材
【図１】
2004275717.tif 000003
【図２】
2004275717.tif 000004
【図３】
2004275717.tif 000005
【図４】
2004275717.tif 000006
【図５】
2004275717.tif 000007
【図６】
2004275717.tif 000008
【図７】
2004275717.tif 000009
【図８】
2004275717.tif 000010
【図９】
2004275717.tif 000011
【図１０】
2004275717.tif 000012
【図１１】
2004275717.tif 000013
【図１２】
2004275717.tif 000014
【図１３】
2004275717.tif 000015
【図１４】
2004275717.tif 000016
【図１５】
2004275717.tif 000017
【図１６】
2004275717.tif 000018